(57)【特許請求の範囲】
【請求項１】
成形された建築用無機質原板の表面部において、切断時の切断線をはさんで両側に、切断公差に相当する幅を有する検品用目印を、切断線から切断刃物の幅の1/2だけ離して形成し、建築用無機質原板の切断後、その検品用目印が、切断箇所の両側に位置する切断品の端縁部に残存しているか否かを目視により確認し、検品を行うことを特徴とする建築用無機質原板切断時の検品方法。
【請求項２】
建築用無機質原板の捨て代となる部分の表面部に検品用目印を形成する請求項１記載の建築用無機質原板切断時の検品方法。
【請求項３】
検品用目印は、建築用無機質原板の表面模様付けと同時に形成される請求項１又は２記載の建築用無機質原板切断時の検品方法。
【発明の詳細な説明】
【０００１】
【発明の属する技術分野】
この出願の発明は、建築用無機質原板切断時の検品方法に関するものである。さらに詳しくは、この出願の発明は、切断の良否を測定によらず、人が一目で容易にしかも確実に判定することのできる建築用無機質原板切断時の検品方法に関するものである。
【０００２】
【従来の技術】
住宅などの建物の壁材、天井材などとして、セメント系などの無機質板が広く用いられている。この建築用無機質板は、所定組成物と水との混練原料から注型、抄造、押出などにより板状に作製された後、この原板の表面に模様付けが行われ、次いで所定サイズへの切断、そして養生、塗装などの各工程を経て商品として生産される。
【０００３】
以上の建築用無機質板の生産工程において、図２の要部平面図に示したように、建築用無機質原板（１）は、その幅中央部に位置する切断線（２）に沿って切断機により長手方向に切断され、たとえば幅１m、長さ３m、厚み15〜35mm程度のサイズにされる。この切断は、当然のことながら、建築用無機質板の製造の連続ライン上において自動的に行われる。
【０００４】
そこで問題となるのが、建築用無機質原板（１）が所定幅に切断されているかどうかということである。連続ラインの搬送の精度、切断精度などが十分高められていても、全ての切断品が良品であるはずはなく、不良品の発生は否定できない。
【０００５】
このような事情に鑑み、従来では、図３の要部平面図に示したように、切断品（１ａ）においてその長手側の両側端からほぼ等間隔にあるべき位置に、切断の良否を判定する判定目地（３）が切断前の建築用無機質原板（１）の表面部に配設され、たとえば、所定サイクルの切断後の切断品（１ａ）について、長手側のそれぞれの側端から判定目地（３）までの寸法（ｗ1）（ｗ2）を、測定器を用いて測定し、ｗ1＝ｗ2であれば当然良品と判定し、仮にｗ1≠ｗ2であったとしても、その差｜ｗ1―ｗ2｜に許容範囲を設けておき、その範囲内に収まれば良品とし、範囲外となる切断品（１ａ）を不良品として選別し、回収するようにしている。
【０００６】
【発明が解決しようとする課題】
しかしながら、以上の建築用無機質原板（１）の切断時の検品方法は、自動化が可能であり、連続ライン上に組み込むことも可能であるが、その一方で、設備投資は決して少なくなく、測定器の信頼性、メンテナンスなどを考慮すると、やはり、人が一目見て良品か不良品かを容易にしかも確実に判定することの方が、現実的であり、利便性が高い。
【０００７】
この出願の発明は、以上の通りの事情に鑑みてなされたものであり、切断の良否を測定によらず、人が一目で容易にしかも確実に判定することのできる建築用無機質原板切断時の検品方法を提供することを解決すべき課題としている。
【０００８】
【課題を解決するための手段】
この出願の発明は、前述の課題を解決するものとして、成形された建築用無機質原板の表面部において、切断時の切断線をはさんで両側に、切断公差に相当する幅を有する検品用目印を、切断線から切断刃物の幅の1/2だけ離して形成し、建築用無機質原板の切断後、その検品用目印が、切断箇所の両側に位置する切断品の端縁部に残存しているか否かを目視により確認し、検品を行うことを特徴とする建築用無機質原板切断時の検品方法（請求項１）を提供する。
【０００９】
また、この出願の発明は、請求項１に係る発明に関し、建築用無機質原板の捨て代となる部分の表面部に検品用目印を形成すること（請求項２）を一態様として提供する。
【００１０】
さらに、この出願の発明は、請求項１又は２に係る発明に関し、検品用目印は、建築用無機質原板の表面模様付けと同時に形成されること（請求項３）を一態様として提供する。
【００１１】
以下、図面に沿ってこの出願の発明の建築用無機質原板切断時の検品方法についてさらに詳しく説明する。
【００１２】
【発明の実施の形態】
図１は、この出願の発明の建築用無機質原板切断時の検品方法の概要を示した要部平面図である。
【００１３】
この出願の発明の建築用無機質原板切断時の検品方法では、前述の通り、たとえばセメントなどの所定組成物と水との混練原料から注型、抄造、押出などにより板状に成形された建築用無機質原板（１）の表面部において、切断時の切断線（２）の両側に、切断公差に相当する幅（ｄ）を有する検品用目印（４）を、切断線（２）から切断刃物の幅（Ｄ）の1/2だけ離して形成し、建築用無機質原板（１）の切断後、その検品用目印（４）が、切断箇所の両側に位置する切断品（１ａ）（１ａ）の端縁部に残存しているか否かを目視により確認し、検品を行う。
【００１４】
このように、建築用無機質原板（１）の表面部における特定位置に検品用目印（４）を形成することにより、切断箇所の両側に位置する切断品（１ａ）（１ａ）の端縁部に検品用目印（４）が残存すれば、切断は、切断線（２）から大きくずれることなく、所定通り良好に行われたと判断される。したがって、このような切断品（１ａ）は、良品であると判定することができる。一方、切断箇所の両側に位置する切断品（１ａ）（１ａ）の端縁部の内、一方の端縁部に、２つの検品用目印（４）が、いずれも幅（ｄ）が減じられることなく完全な状態で残存し、他方の端縁部に検品用目印（４）が消失する場合には、切断は、切断線（２）から大きくずれて行われたと判断される。したがって、この場合の切断品（１ａ）は不良品であると判定することができる。
【００１５】
良品と判定される場合には、この後者に近い場合もあり得る。すなわち、切断が、切断線（２）から最も離れた検品用目印（４）の端縁部分において行われた場合、切断箇所の両側に位置する切断品（１ａ）（１ａ）の端縁部の一方には、検品用目印（４）が消失することになるが、他方の端縁部に残存する検品用目印（４）は２つ残存する。しかしながら、このように残存する２つの検品用目印（４）の内、一方は、幅（ｄ）が減じられることなく完全な状態を保つが、他方は、その幅（ｄ）が、切断刃物が幅（Ｄ）を有していることから減じられる。したがって、この場合には、切断公差以内に切断が行われたものと判断することができ、切断品（１ａ）は良品であると判定することができる。
【００１６】
このように、この出願の発明の建築用無機質原板切断時の検品方法では、切断品（１ａ）の端縁部に検品用目印（４）が残存しているか否かをチェックすることにより、切断の良、不良を判定することができ、その判定は目視で可能であり、一目見れば容易にしかも確実に良品、不良品を検品することができる。人による作業であっても、検品は、以上からも理解されるように、特に労力を要するものでなく、しかも、現状の連続ラインの搬送精度、切断機の切断精度などを考慮すれば、検品は、所定サイクルごとの切断後に切断品（１ａ）を抽出して行うだけで十分であり、常時行う必要はないものと考えられる。
【００１７】
検品用目印（４）については、建築用無機質原板（１）から上方に突出しても、あるいは下方にくぼんでいても、さらに平面的な印刷であってもその形態に特に制限はない。
【００１８】
ただ、建築用無機質原板（１）の表面模様と混同されることは検品精度を低下させる大きな要因となることから好ましくない。また、最終製品に残る場合、検品用目印（４）の形態によっては、意匠性ばかりでなく、施工性、耐久性などの物理的又は化学的特性に影響することも十分考えられる。したがって、検品用目印（４）は、一般には、後に実加工などが行われる建築用無機質原板（１）の捨て代（５）となる部分の表面部に形成するのが好ましい。こうすることにより、表面模様付けと同時に検品用目印（４）を形成しても、検品用目印（４）を表面模様の一部と混同するのを避けることができ、また、最終製品に検品用目印（４）が存在せず、建築用無機質板に要求される意匠性や各種の物理的又は化学的特性が阻害されることもない。
【００１９】
一方、検品用目印（４）が、表面模様の一部を構成し、他の模様部分と十分区別して認識され、しかも、最終製品に要求される各種特性を満たすことができるのであれば、特に捨て代（５）に検品用目印（４）を形成しなくともよい。
【００２０】
また、この検品用目印（４）は、容易に形成することを考慮すれば、建築用無機質原板（１）の表面模様付けと同時に行うことが考えられる。建築用無機質原板（１）の表面部にたとえばプレス成形機により成形型を押し付け、凸状又は凹状に形成することができる。印刷では塗料が必要となり、コスト面で不利であるとともに、建築用無機質原板（１）の表面地合を考慮すれば、視認容易な程度に塗料を十分に付着させるのは必ずしも容易ではない。さらに、テープ状のものを貼着して検品用目印（４）を形成する場合、自動化するにしても、今度はその貼着位置の精度が問題となり、また、建築用無機質原板（１）の表面部に剥離が生ぜずに貼着するのは、やはり難しく、現実的でない。
【００２１】
もちろん、この出願の発明は、以上の実施形態によって限定されるものではない。建築用無機質原板の作製方法、原料、検品用目印の形状、大きさ、さらに切断機の構成などの細部については様々な態様が可能であることはいうまでもない。
【００２２】
【発明の効果】
以上詳しく説明した通り、この出願の発明によって、建築用無機質板の製造工程において、原板の切断の良否を測定によらず、人が一目で容易にしかも確実に判定することができる。
【図面の簡単な説明】
【図１】この出願の発明の建築用無機質原板切断時の検品方法の概要を示した要部平面図である。
【図２】建築用無機質原板の切断について示した要部平面図である。
【図３】従来の寸法測定による建築用無機質原板切断時の検品方法を示した要部平面図である。
【符号の説明】
１    建築用無機質原板
１ａ    切断品
２    切断線
３    判定目地
４    検品用目印
５    捨て代
【図１】
0003672503.tif 000002
【図２】
0003672503.tif 000003
【図３】
0003672503.tif 000004